(57)【要約】【課題】二相流タービンの性能を向上できる二相流タービンノズル並びに性能を向上した二相流タービン及び冷凍サイクルを提供する。【解決手段】流体の気液二相流によって駆動される二相流タービンに設けられた二相流タービンノズルは、互いの間に流路を形成するように周方向に配列された複数の静翼を備え、流路の出口開口は、周方向の幅よりも径方向の幅の方が長い形状を有する。【選択図】図７
2020029830.tif 000002
【特許請求の範囲】
【請求項１】
流体の気液二相流によって駆動される二相流タービンに設けられた二相流タービンノズルであって、
前記二相流タービンノズルは、互いの間に流路を形成するように周方向に配列された複数の静翼を備え、
前記流路の出口開口は、周方向の幅よりも径方向の幅の方が長い形状を有する二相流タービンノズル。
【請求項２】
前記流路を画定する内壁面の少なくとも一部は平坦である、請求項１に記載の二相流タービンノズル。
【請求項３】
前記流路は、スロートから前記出口開口に向かって断面積が増加する、請求項１または２に記載の二相流タービンノズル。
【請求項４】
前記流路は、前記スロートから前記出口開口に向かって径方向の幅が増加する、請求項３に記載の二相流タービンノズル。
【請求項５】
前記複数の静翼が形成された第１ブロックと、
前記第１ブロックが挿入可能に構成された挿入穴が形成された第２ブロックと
を備え、
前記第１ブロックが前記挿入穴内に挿入されている、請求項１〜４のいずれか一項に記載の二相流タービンノズル。
【請求項６】
前記第１ブロック及び前記第２ブロックそれぞれの軸方向が鉛直方向に沿うように前記第１ブロック及び前記第２ブロックが設けられ、
前記第１ブロックの軸中心から前記静翼のチップ側縁までの距離が鉛直方向下側に向かって減少するように前記静翼は構成され、
前記挿入穴の断面積が鉛直方向下側に向かって減少するように前記挿入穴は構成され、
前記挿入穴の内周面に前記チップ側縁が接触するように前記第１ブロックは前記挿入穴内に挿入されている、請求項５に記載の二相流タービンノズル。
【請求項７】
前記第１ブロック又は前記第２ブロックの少なくとも一方に設けられた第１部分と、
前記第１ブロック又は前記第２ブロックの他方に設けられた第２部分と
を含む回転防止部材をさらに備え、
前記挿入穴内において前記第１ブロックに該第１ブロックの軸中心を中心とした周方向の力が加えられたときに、前記第１部分と前記第２部分とが互いに対して前記周方向に当接可能に構成されている、請求項５または６に記載の二相流タービンノズル。
【請求項８】
前記流路は、径方向内側から径方向外側に向かって周方向の幅が増加する断面形状を有する、請求項１〜７のいずれか一項に記載の二相流タービンノズル。
【請求項９】
請求項１〜８のいずれか一項に記載の二相流タービンノズルと、
前記出口開口に対向するように設けられる動翼を備えた二相流タービンロータと
を備え、冷媒の気液二相流によって駆動される二相流タービン。
【請求項１０】
蒸発器と、
圧縮機と、
凝縮器と、
請求項９に記載の二相流タービンと
を備える冷凍サイクル。
【発明の詳細な説明】
【技術分野】
【０００１】
本開示は、二相流タービンノズル及びこの二相流タービンノズルを備える二相流タービン並びにこの二相流タービンを備える冷凍サイクルに関する。
【背景技術】
【０００２】
圧縮機、凝縮器、膨張手段、及び蒸発器を順次配管で接続して冷媒が循環可能に構成され、膨張手段として二相流タービンを用いた冷凍サイクルが、例えば特許文献１に記載されている。このような二相流タービンにおけるタービンノズルが特許文献２に記載されている。このタービンノズルにおいて冷媒が流れる流路は、円筒形状のノズルブロックに外周面から内周面にかけて円柱形状の穴を加工することにより形成されている。
【先行技術文献】
【特許文献】
【０００３】
【特許文献１】実開昭６１−９８９５４号公報
【特許文献２】米国特許第５４６７６１３号明細書
【発明の概要】
【発明が解決しようとする課題】
【０００４】
しかしながら、特許文献２に記載のタービンノズルでは、冷媒が流れる流路の出口開口は一般的に、ノズルブロックの周方向に長い楕円形状を有するようになる。図１１（ａ）に示されるように、楕円形状の出口開口Ｅの周方向の長さＬが長くなればなるほど、流路から流出する冷媒の一部、具体的には、楕円形状の出口開口の周方向における端部付近から流出する冷媒Ｒが動翼ＲＢに適切に流入できなくなってしまう。これに対処するためには、図１１（ｂ）に示されるように、動翼ＲＢの翼高さＨを大きくすれば、楕円形状の出口開口Ｅの周方向における端部付近から流出する冷媒Ｒも動翼ＲＢに流入するようになるが、動翼ＲＢに適切な角度で流入する冷媒が増えるわけではない。その結果、図１１（ａ）及び（ｂ）のいずれの場合でも、二相流タービンの性能が低下してしまうといった問題点があった。
【０００５】
上述の事情に鑑みて、本開示の少なくとも１つの実施形態は、二相流タービンの性能を向上できる二相流タービンノズル並びに性能を向上した二相流タービン及び冷凍サイクルを提供することを目的とする。
【課題を解決するための手段】
【０００６】
（１）本発明の少なくとも１つの実施形態に係る二相流タービンノズルは、
流体の気液二相流によって駆動される二相流タービンに設けられた二相流タービンノズルであって、
前記二相流タービンノズルは、互いの間に流路を形成するように周方向に配列された複数の静翼を備え、
前記流路の出口開口は、周方向の幅よりも径方向の幅の方が長い形状を有する。
【０００７】
上記（１）の構成によると、流路の出口開口が周方向の幅よりも径方向の幅の方が長い形状を有することにより、出口開口の周方向における端部付近から流出する流体も、二相流タービンの動翼に流入するようになり、出口開口から流出する流体の多くが適切な角度で動翼に流入するようになるので、二相流タービンの性能を向上することができる。
【０００８】
（２）いくつかの実施形態では、上記（１）の構成において、
前記流路を画定する内壁面の少なくとも一部は平坦である。
【０００９】
タービンノズルを機械加工する際に、流路の形状が円筒形状である場合よりも流路の断面が矩形形状である場合の方が加工性は良い。上記（２）の構成によると、流路を画定する内壁面の少なくとも一部が平坦であることにより、平坦部分の加工性は向上するので、タービンノズルを機械加工する際の加工性を向上することができる。
【００１０】
（３）いくつかの実施形態では、上記（１）または（２）の構成において、
前記流路は、スロートから前記出口開口に向かって断面積が増加する。
【００１１】
上記（３）の構成によると、流路は、上流側からスロートまで断面積が減少し、スロートから出口開口まで断面積が増加するので、全体としてラバールノズル（先細末広ノズル）を構成する。これにより、二相流タービンノズルから流出する流体の体積膨張に見合った形状になるので、ラバールノズルの形態の流路を採用しない場合に比べて、流体が動翼に与えるエネルギーを増加し、二相流タービンの性能を向上することができる。
【００１２】
（４）いくつかの実施形態では、上記（３）の構成において、
前記流路は、前記スロートから前記出口開口に向かって径方向の幅が増加する。
【００１３】
上記（４）の構成によると、スロートから出口開口に向かって周方向の幅が減少しながらスロートから出口開口まで断面積が増加する構成に流路を形成することができる。これにより、上記（１）による効果及び上記（３）による効果の両方を得ることができる。
【００１４】
（５）いくつかの実施形態では、上記（１）〜（４）のいずれかの構成において、
前記複数の静翼が形成された第１ブロックと、
前記第１ブロックが挿入可能に構成された挿入穴が形成された第２ブロックと
を備え、
前記第１ブロックが前記挿入穴内に挿入されている。
【００１５】
上記（５）の構成によると、複数の静翼を形成した第１ブロックを、第２ブロックに形成された挿入穴内に挿入することで二相流タービンノズルが形成されるので、二相流タービンノズルの形成・組み立てを容易にすることができる。
【００１６】
（６）いくつかの実施形態では、上記（５）の構成において、
前記第１ブロック及び前記第２ブロックそれぞれの軸方向が鉛直方向に沿うように前記第１ブロック及び前記第２ブロックが設けられ、
前記第１ブロックの軸中心から前記静翼のチップ側縁までの距離が鉛直方向下側に向かって減少するように前記静翼は構成され、
前記挿入穴の断面積が鉛直方向下側に向かって減少するように前記挿入穴は構成され、
前記挿入穴の内周面に前記チップ側縁が接触するように前記第１ブロックは前記挿入穴内に挿入されている。
【００１７】
上記（６）の構成によると、第１ブロックを挿入穴内に挿入すると、第１ブロックの重力によって静翼のチップ側縁が挿入穴の内周面に接触して、第１ブロックが第２ブロックに対してメタルタッチ固定される。このため、第１ブロックの第２ブロックへの固定に溶接等の固定作業が不要になるので、二相流タービンノズルの形成・組み立てをさらに容易にすることができる。
【００１８】
（７）いくつかの実施形態では、上記（５）または（６）の構成において、
前記第１ブロック又は前記第２ブロックの少なくとも一方に設けられた第１部分と、
前記第１ブロック又は前記第２ブロックの他方に設けられた第２部分と
を含む回転防止部材をさらに備え、
前記挿入穴内において前記第１ブロックに該第１ブロックの軸中心を中心とした周方向の力が加えられたときに、前記第１部分と前記第２部分とが互いに対して前記周方向に当接可能に構成されている。
【００１９】
流路を流体が流れる際に、第１ブロックがその軸方向を中心に回転するような力が第１ブロックに加わる場合がある。上記（７）の構成によると、第１ブロックにこのような力が加わったとしても、回転防止部材によって第１ブロックの回転を防止するができる。
【００２０】
（８）いくつかの実施形態では、上記（１）〜（７）のいずれかの構成において、
前記流路は、径方向内側から径方向外側に向かって周方向の幅が増加する断面形状を有する。
【００２１】
上記（８）の構成によると、流路を機械加工で形成する際、第１ブロックの径方向外側から径方向内側へ機械加工工具を押し込むようにして第１ブロックの一方の端面から他方の端面に向かって加工できるので、加工性を向上することができる。
【００２２】
（９）本発明の少なくとも１つの実施形態に係る二相流タービンは、
上記（１）〜（８）のいずれかの二相流タービンノズルと、
前記出口開口に対向するように設けられる動翼を備えた二相流タービンロータと
を備え、冷媒の気液二相流によって駆動される。
【００２３】
上記（９）の構成によると、性能を向上した二相流タービンを実現できる。
【００２４】
（１０）本発明の少なくとも１つの実施形態に係る冷凍サイクルは、
蒸発器と、
圧縮機と、
凝縮器と、
上記（９）の二相流タービンと
を備える。
【００２５】
上記（１０）の構成によると、性能を向上した冷凍サイクルを実現できる。
【発明の効果】
【００２６】
本開示の少なくとも１つの実施形態によれば、流路の出口開口が周方向の幅よりも径方向の幅の方が長い形状を有することにより、出口開口の周方向における端部付近から流出する冷媒も、二相流タービンの動翼に流入するようになり、出口開口から流出する冷媒の多くが適切な角度で動翼に流入するようになるので、二相流タービンの性能を向上することができる。
【図面の簡単な説明】
【００２７】
【図１】本開示の一実施形態に係る冷凍サイクルの構成図である。
【図２】本開示の一実施形態に係る二相流タービンの軸方向断面図である。
【図３】本開示の一実施形態に係る二相流タービンノズルの概略子午面図である。
【図４】本開示の一実施形態に係る二相流タービンノズルの変形例の概略子午面図である。
【図５】本開示の一実施形態に係る二相流タービンノズルの第１ブロックの斜視図である。
【図６】本開示の一実施形態に係る二相流タービンノズルの第１ブロックに形成される複数の静翼のうちの１つの斜視図である。
【図７】本開示の一実施形態に係る冷凍サイクルに設けられた二相流タービンの二相流タービンノズルの第１ブロックの平面図である。
【図８】本開示の一実施形態に係る冷凍サイクルに設けられた二相流タービンの二相流タービンノズルの第１ブロックの概略子午面図である。
【図９】本開示の一実施形態に係る二相流タービンノズルから噴出される冷媒が動翼に流入する動作を説明するための模式図である。
【図１０】本開示の一実施形態に係る二相流タービンノズルの変形例の概略子午面図である。
【図１１】従来の二相流タービンノズルから噴出される冷媒が動翼に流入する動作を説明するための模式図である。
【発明を実施するための形態】
【００２８】
以下、図面を参照して本発明のいくつかの実施形態について説明する。ただし、本発明の範囲は以下の実施形態に限定されるものではない。以下の実施形態に記載されている構成部品の寸法、材質、形状、その相対配置などは、本発明の範囲をそれにのみ限定する趣旨ではなく、単なる説明例に過ぎない。
【００２９】
図１に示されるように、本開示の一実施形態に係る冷凍サイクル１０は、冷媒を圧縮する圧縮機１１と、圧縮された冷媒を凝縮する凝縮器１２と、気液混合状態の冷媒の二相流（気液二相流）、厳密に言えば湿り度が５０％以上の冷媒の二相流によって駆動される二相流タービン１３と、二相流タービン１３によって減圧された冷媒を冷却水と熱交換することにより、冷媒の気化熱による冷熱を発生させることで冷却水を冷却する蒸発器１４とを備えている。冷凍サイクル１０は、圧縮機１１と凝縮器１２と二相流タービン１３と蒸発器１４とが冷媒循環経路１５で順次接続されることにより、冷媒が循環可能に構成されている。
【００３０】
冷凍サイクル１０は、いくつかの変形形態を採用することができる。例えば、圧縮機１１は多段型の圧縮機でもよく、例えば、接続配管１６を介して互いに直列的に接続された低圧側圧縮機１１Ａ及び高圧側圧縮機１１Ｂを含み、低圧側圧縮機１１Ａ及び高圧側圧縮機１１Ｂは互いに同軸上に連結され、電動機１９によって駆動可能に構成されてもよい。尚、冷凍サイクル１０に関する変形形態はこのような形態に限定するものではなく、以下で説明する本開示の構成を妨げるものでない限り採用可能である。
【００３１】
二相流タービン１３は回転軸１７を有し、回転軸１７には発電機１８が機械的に連結されている。図１には図示されていないが、発電機１８は、発電機１８によって生成された電気エネルギーを充電するバッテリー等の蓄電装置や、発電機１８によって生成された電気エネルギーを消費する負荷に接続されてもよい。
【００３２】
図２に示されるように、二相流タービン１３は、複数の動翼３２を有する二相流タービンロータ３３と、動翼３２の上流側に設けられた複数の静翼３４を有する二相流タービンノズル３５と、二相流タービンディフューザー３６とを備えている。
【００３３】
図３に示されるように、二相流タービンノズル３５は、複数の静翼３４が形成された第１ブロック４１と、挿入穴４３が形成された筒形状の第２ブロック４２とを備え、挿入穴４３内に第１ブロック４１が挿入されている。この構成によると、複数の静翼３４を形成した第１ブロック４１を、第２ブロック４２に形成された挿入穴４３内に挿入することで二相流タービンノズル３５が形成されるので、二相流タービンノズル３５の形成・組み立てを容易にすることができる。
【００３４】
図４に示されるように、第１ブロック４１及び第２ブロック４２それぞれの軸方向が鉛直方向に沿うように第１ブロック４１及び第２ブロック４２を設け、第１ブロック４１の軸中心Ｃ１から静翼３４のチップ側縁３４ａまでの距離Ｌ１が鉛直方向下側に向かって減少するように静翼３４を構成し、挿入穴４３の内径すなわち断面積Ｓ１が鉛直方向下側に向かって減少するように挿入穴４３を円錐台形状に構成してもよい。
【００３５】
この構成によると、挿入穴４３の内周面４３ａにチップ側縁３４ａが接触するように第１ブロック４１を挿入穴４３内に挿入することができる。第１ブロック４１を挿入穴４３内に挿入すると、第１ブロック４１の重力によって静翼３４のチップ側縁３４ａが挿入穴４３の内周面４３ａに接触して、第１ブロック４１が第２ブロック４２に対してメタルタッチ固定される。また、冷媒が二相流タービンノズル３５を流通する際の冷媒の差圧によっても第１ブロック４１が第２ブロック４２に対して押し付けられるようになる。このため、第１ブロック４１の第２ブロック４２への固定に溶接等の固定作業が不要になるので、二相流タービンノズル３５の形成・組み立てをさらに容易にすることができる。
【００３６】
図５に示されるように、第１ブロック４１は、周方向に配列されるように複数の静翼３４が機械加工されることにより、略円錐台形状の全体形状を有している。これら複数の静翼３４のうちの１つの斜視図を図６に示す。各静翼３４は、前縁３４ｂから後縁３４ｃに向かって厚さが徐々に増加して部分３４ｄで厚さが最大になった後、後縁３４ｃに向かって厚さが減少する形状を有している。この形状は、静翼３４のチップ側縁３４ａの形状から容易に理解することができる。静翼３４はさらに、部分３４ｄから後縁３４ｃまで延びるとともにチップ側縁３４ａに接続する第１面３４ｅと、第１面３４ｅと対向する第２面３４ｆとを有し、第２面３４ｆも第１面３４ｅと同様に、部分３４ｄから後縁３４ｃまで延びるとともにチップ側縁３４ａに接続している。
【００３７】
各静翼３４の第１面３４ｅと、各静翼３４と周方向に隣り合う他の静翼の第２面３４ｆとの間には隙間が形成されている。図７に示されるように、この隙間は、後述する動作で冷媒が流通する流路５０を構成する。各流路５０は、周方向に隣り合う静翼３４，３４間に形成され、第１ブロック４１の円形状の端面４１ａにおいて開口している。すなわち、端面４１ａには、各流路５０の出口開口５１が形成されている。図２に示されるように、二相流タービン１３において、二相流タービンノズル３５の出口開口５１は、二相流タービンロータ３３の動翼３２に対向する。
【００３８】
図７に示されるように、出口開口５１は、出口開口５１の径方向内側の縁部５１ａの長さＬ２が出口開口５１の径方向外側の縁部５１ｂの長さＬ３よりも短い形状を有している。このため、端面４１ａにおいて各流路５０の出口開口５１を互いの間隔をできる限り短くしながら円周形状に配置した構成が可能になる。尚、流路５０の任意の位置における断面形状も、出口開口５１においてＬ２＜Ｌ３となる形状と同様に、径方向内側の縁部の長さが径方向外側の縁部の長さよりも短い形状を有している。すなわち、流路５０は、径方向内側から径方向外側に向かって周方向の幅が増加する断面形状を有している。また、出口開口５１は、周方向の幅Ｌ５（Ｌ２≦Ｌ５≦Ｌ３）よりも径方向の幅Ｌ４の方が長い形状を有している。
【００３９】
周方向に隣り合う静翼３４，３４間の間隔は、静翼３４の前縁３４ｂ側から後縁３４ｃ側に向かって減少するように構成されている。したがって、各流路５０は、上流側から下流側に向かって、周方向の幅が増加するように形成されている。一方で、図８に示されるように、静翼３４は、前縁３４ｂから後縁３４ｃに向かって、静翼３４のハブ側縁３４ｇからチップ側縁３４ａ間の長さ、すなわち静翼３４の翼高さが増加するように形成されている。静翼３４のこのような構成により、各流路５０は、上流側から下流側に向かって、径方向の幅Ｌ６が増加するように形成されている。上流側から下流側に向かう各流路５０の周方向の幅の減少率よりも各流路５０の径方向の幅の増加率を大きくすることにより、各流路５０は、上流側から下流側に向かって周方向の幅が短くなるにもかかわらず、上流側から下流側に向かって断面積が増加する構成を有することができる。
【００４０】
この場合、図７に示されるように、各流路５０は、静翼３４の部分３４ｄにおいて断面積が最小となるので、部分３４ｄにおいて流路５０のスロート５２が形成される。したがって、各流路５０は、図７には図示されていないが上流側からスロート５２まで断面積が減少し、スロート５２から出口開口５１まで断面積が増加する構成を有することができる。各流路５０がこのような構成を有する場合、各流路５０は全体としてラバールノズル（先細末広ノズル）を構成することになる。
【００４１】
図６に示されるように、静翼３４の第１面３４ｅ及び第２面３４ｆはそれぞれ平坦であることが好ましい。この場合、流路５０（図５又は７参照）を画定する内壁面の少なくとも一部が平坦な構成となる。この構成によると、流路５０を画定する内壁面の少なくとも一部が平坦であることにより、平坦部分の加工性は向上するので、二相流タービンノズル３５（図２参照）の第１ブロック４１を機械加工する際の加工性を向上することができる。
【００４２】
図７に示されるように、第１ブロック４１を機械加工で作成する場合、径方向内側から径方向外側に向かって周方向の幅が増加する断面形状を流路５０が有する構成も有利になる。流路５０がこのような構成を有する場合、流路５０を機械加工で形成する際、第１ブロック４１の径方向外側から径方向内側へ機械加工工具を押し込むようにして第１ブロック４１の一方の端面４１ａから他方の端面に向かって加工できるので、加工性を向上することができる。
【００４３】
次に、本開示の一実施形態に係る冷凍サイクル１０の動作について説明する。
【００４４】
図１に示されるように、電動機１９によって駆動される低圧側圧縮機１１Ａ及び高圧側圧縮機１１Ｂが気体状態の冷媒を圧縮することによって、冷凍サイクル１０を冷媒が循環する。圧縮された冷媒は、冷媒循環経路１５を流通して凝縮器１２に流入し、凝縮器１２によって凝縮されて液体となる。
【００４５】
凝縮器１２から流出して冷媒循環経路１５を流通する液体の冷媒は、二相流タービン１３に流入して、後述する動作で二相流タービン１３を駆動する。冷媒によって駆動された二相流タービン１３の動力を、回転軸１７を介して発電機１８に伝達することによって発電機１８を駆動し、発電を行う。発電された電気エネルギーは、図示しない蓄電装置に充電されたり、図示しない負荷において消費されたりすることができる。
【００４６】
二相流タービン１３から流出した冷媒は、蒸発器１４において冷却水と熱交換することにより冷却水を冷却する。蒸発器１４から流出した冷媒は、高圧側圧縮機１１Ｂに流入して圧縮された後、接続配管１６を流通し、低圧側圧縮機１１Ａに流入してさらに圧縮される。
【００４７】
図２に示されるように、二相流タービン１３に流入した冷媒は、二相流タービンノズル３５に流入する。二相流タービンノズル３５に流入した冷媒は、流路５０（図５又は７参照）を流通して出口開口５１から噴出した後、動翼３２に供給される。冷媒が流路５０を流通する際、冷媒は、流路５０のスロート５２（図７参照）においてフラッシュされることにより、気液二相流となる。気液二相流は、気体中に液滴を含んでいる。液滴は気体に比べて重量が大きいため、液滴の流速は気体の流速に比べて小さくなる。液滴は、スロート５２から出口開口５１にかけて、周囲に存在する高速な気体によって加速される。出口開口５１では、加速された液滴を含む気液二相流が動翼３２に向けて噴出される。出口開口５１から噴出された気液二相流は、動翼３２を駆動するが、このとき主に気液二相流に含まれる加速された液滴が動翼３２に対して運動エネルギーを与えることとなる。
【００４８】
このようにして、二相流タービンノズル３５から噴出された冷媒の気液二相流が動翼３２に供給されて二相流タービンロータ３３を回転することで、二相流タービン１３が駆動される。二相流タービン１３を駆動した冷媒は、二相流タービンディフューザー３６を流通して二相流タービン１３から流出する。
【００４９】
上述したように流路５０が全体としてラバールノズル（先細末広ノズル）の構成を有している場合、二相流タービンノズル３５から流出する冷媒の体積膨張に見合った形状になるので、ラバールノズルの形態の流路を採用しない場合に比べて、冷媒が動翼３２に与えるエネルギーを増加し、二相流タービン１３の性能を向上することができる。
【００５０】
また、図７に示されるように、流路５０の出口開口５１は、周方向の幅Ｌ５よりも径方向の幅Ｌ４の方が長い形状を有している。そうすると、図９に示されるように、各出口開口５１から噴出される冷媒の周方向の広がりが冷媒の径方向の広がりよりも小さくなり、出口開口５１の周方向における端部付近から流出する冷媒も動翼３２に流入するようになるので、冷媒の周方向の広がりが大きい場合（例えば図１１（ａ）に示されるような、周方向に長い楕円形状の場合）に比べて、動翼３２に適切に流入できない冷媒を低減することができる。さらに、出口開口５１から流出する冷媒の多くが適切な角度で動翼３２に流入するようになるので、二相流タービン１３（図１参照）の性能を向上することができる。このような構成によれば、図１１（ｂ）に示されるように動翼の翼高さを大きくする必要もなくなる。
【００５１】
このように、流路５０の出口開口５１が周方向の幅Ｌ５よりも径方向の幅Ｌ４の方が長い形状を有することにより、出口開口５１の周方向における端部付近から流出する冷媒も、二相流タービン１３の動翼３２に流入するようになり、出口開口５１から流出する冷媒の多くが適切な角度で動翼３２に流入するようになるので、二相流タービン１３の性能を向上することができる。
【００５２】
図７に示されるように、各流路５０は、その長手方向が第１ブロック４１の軸中心Ｃ１からオフセットするような（すなわち、各流路５０の長手方向の延長線が軸中心Ｃ１を通らない）構成となっている。このため、各流路５０を冷媒が流通する際、第１ブロック４１を第２ブロック４２（図３参照）の挿入穴４３（図３参照）内において軸中心Ｃ１を中心に回転させるような力を冷媒が第１ブロック４１に与える。このような力によって第１ブロック４１が回転するのを抑制するために、例えば図１０に示されるように、静翼３４のチップ側縁３４ａから径方向外側に向かって突出する突出部６２（第１部分）と、挿入穴４３の内周面４３ａに開口するとともに突出部６２が挿入可能に形成されたスリット部６１（第２部分）とから構成される回転防止部材６０を二相流タービンノズル３５に設けてもよい。軸中心Ｃ１を中心に第１ブロック４１を回転させるような力が第１ブロック４１に加えられたとしても、スリット部６１内に突出部６２が挿入されているので、スリット部６１を画定する内壁面に突出部６２が当接することにより、その状態からさらに第１ブロック４１が回転することができなくなる。
【００５３】
尚、回転防止部材６０は、上記のようなスリット部６１及び突出部６２のような形態に限定するものではなく、軸中心Ｃ１を中心に第１ブロック４１を回転させるような力が第１ブロック４１に加えられたときに、第１部分と第２部分とが互いに対して周方向に当接可能に構成されたものであればどのようなものであってもよい。また、回転防止部材６０は、１つの二相流タービンノズル３５に対して１つだけに限定するものではなく、任意の個数設けてもよい。
【符号の説明】
【００５４】
１０  冷凍サイクル
１１  圧縮機
１１Ａ  低圧側圧縮機
１１Ｂ  高圧側圧縮機
１２  凝縮器
１３  二相流タービン
１４  蒸発器
１５  冷媒循環経路
１６  接続配管
１７  回転軸１７
１８  発電機
１９  電動機
３２  動翼
３３  二相流タービンロータ
３４  静翼
３４ａ  （静翼の）チップ側縁
３４ｂ  （静翼の）前縁
３４ｃ  （静翼の）後縁
３４ｄ  （静翼の）部分
３４ｅ  （静翼の）第１面
３４ｆ  （静翼の）第２面
３４ｇ  （静翼の）ハブ側縁
３５  二相流タービンノズル
３６  タービンディフューザー
４１  第１ブロック
４１ａ  （第１ブロックの）端面
４２  第２ブロック
４３  挿入穴
４３ａ  （挿入穴の）内周面
５０  流路
５１  出口開口
５１ａ  （出口開口の）径方向内側の縁部
５１ｂ  （出口開口の）径方向外側の縁部
５２  スロート
６０  回転防止部材
６１  スリット部（第２部分）
６２  突出部（第１部分）
Ｃ１  （第１ブロックの）軸中心
Ｌ１  第１ブロックの軸中心から静翼のチップ側縁までの距離
Ｌ２  出口開口の径方向内側の縁部の長さ
Ｌ３  出口開口の径方向外側の縁部の長さ
Ｌ４  出口開口の径方向の長さ
Ｌ５  出口開口の周方向の幅
Ｌ６  流路の径方向の幅の
Ｓ１  挿入穴の断面積
【図１】
2020029830.tif 000003
【図２】
2020029830.tif 000004
【図３】
2020029830.tif 000005
【図４】
2020029830.tif 000006
【図５】
2020029830.tif 000007
【図６】
2020029830.tif 000008
【図７】
2020029830.tif 000009
【図８】
2020029830.tif 000010
【図９】
2020029830.tif 000011
【図１０】
2020029830.tif 000012
【図１１】
2020029830.tif 000013
【手続補正書】
【提出日】令和1年9月11日(2019.9.11)
【手続補正１】
【補正対象書類名】明細書
【補正対象項目名】００３０
【補正方法】変更
【補正の内容】
【００３０】
冷凍サイクル１０は、いくつかの変形形態を採用することができる。例えば、圧縮機１１は多段型の圧縮機でもよく、例えば、接続配管１６を介して互いに直列的に接続された高圧側圧縮機１１Ａ及び低圧側圧縮機１１Ｂを含み、高圧側圧縮機１１Ａ及び低圧側圧縮機１１Ｂは互いに同軸上に連結され、電動機１９によって駆動可能に構成されてもよい。尚、冷凍サイクル１０に関する変形形態はこのような形態に限定するものではなく、以下で説明する本開示の構成を妨げるものでない限り採用可能である。
【手続補正２】
【補正対象書類名】明細書
【補正対象項目名】００４４
【補正方法】変更
【補正の内容】
【００４４】
図１に示されるように、電動機１９によって駆動される高圧側圧縮機１１Ａ及び低圧側圧縮機１１Ｂが気体状態の冷媒を圧縮することによって、冷凍サイクル１０を冷媒が循環する。圧縮された冷媒は、冷媒循環経路１５を流通して凝縮器１２に流入し、凝縮器１２によって凝縮されて液体となる。
【手続補正３】
【補正対象書類名】明細書
【補正対象項目名】００４６
【補正方法】変更
【補正の内容】
【００４６】
二相流タービン１３から流出した冷媒は、蒸発器１４において冷却水と熱交換することにより冷却水を冷却する。蒸発器１４から流出した冷媒は、低圧側圧縮機１１Ｂに流入して圧縮された後、接続配管１６を流通し、高圧側圧縮機１１Ａに流入してさらに圧縮される。
【手続補正４】
【補正対象書類名】明細書
【補正対象項目名】００５４
【補正方法】変更
【補正の内容】
【００５４】
１０  冷凍サイクル
１１  圧縮機
１１Ａ  高圧側圧縮機
１１Ｂ  低圧側圧縮機
１２  凝縮器
１３  二相流タービン
１４  蒸発器
１５  冷媒循環経路
１６  接続配管
１７  回転軸１７
１８  発電機
１９  電動機
３２  動翼
３３  二相流タービンロータ
３４  静翼
３４ａ  （静翼の）チップ側縁
３４ｂ  （静翼の）前縁
３４ｃ  （静翼の）後縁
３４ｄ  （静翼の）部分
３４ｅ  （静翼の）第１面
３４ｆ  （静翼の）第２面
３４ｇ  （静翼の）ハブ側縁
３５  二相流タービンノズル
３６  タービンディフューザー
４１  第１ブロック
４１ａ  （第１ブロックの）端面
４２  第２ブロック
４３  挿入穴
４３ａ  （挿入穴の）内周面
５０  流路
５１  出口開口
５１ａ  （出口開口の）径方向内側の縁部
５１ｂ  （出口開口の）径方向外側の縁部
５２  スロート
６０  回転防止部材
６１  スリット部（第２部分）
６２  突出部（第１部分）
Ｃ１  （第１ブロックの）軸中心
Ｌ１  第１ブロックの軸中心から静翼のチップ側縁までの距離
Ｌ２  出口開口の径方向内側の縁部の長さ
Ｌ３  出口開口の径方向外側の縁部の長さ
Ｌ４  出口開口の径方向の長さ
Ｌ５  出口開口の周方向の幅
Ｌ６  流路の径方向の幅の
Ｓ１  挿入穴の断面積